(57)【特許請求の範囲】
【請求項１】
スロットル(11)によって制御される動力源(10)と、動力源(10)に連結された入力軸(15)及び出力軸(25)を備えた摩擦クラッチ(20)と、トルク入力に対して振動応答を示すねじりコンプライアンスを有する摩擦クラッチ(20)の出力軸(25)に連結された少なくとも１つの慣性負荷トラクションホィール(51、52、53、54) とを含む組み合わせ体における自動クラッチ制御装置であって、
動力源(10)に連結されて、動力源(10)の回転速度に応じたエンジン速度信号を発生するエンジン速度センサ(13)と、
摩擦クラッチ(20)の出力軸(25)に連結されて、摩擦クラッチ(20)の出力軸(25)の回転速度に応じた変速機入力速度信号を発生する変速機入力速度センサ(31)と、
摩擦クラッチ(20)に連結されて、クラッチ連結信号に従って摩擦クラッチ(20)の切り離し位置から完全連結位置への連結を制御するクラッチアクチュエータ(27)と、
前記エンジン速度センサ(13)、前記変速機入力速度センサ(31)及び前記クラッチアクチュエータ(27)に連結されたコントローラ(60)とを有しており、
このコントローラ(60)は、
エンジン速度信号と入力速度信号との差を決定する手段(64)と、
前記差を演算して調整出力を発生するためのＰＩＤレギュレータ(65)と、
前記ＰＩＤレギュレータ(65)に連結されて、ろ過されたＰＩＤ信号を発生する前置フィルタ(68)と、
前記変速機入力速度センサ(31)及び前記前置フィルタ(68)に連結されて、前記ろ過されたＰＩＤ信号と前記変速機入力速度信号との差に応じた第１代数和信号を発生する第１代数加算器(69)と、
この第１代数加算器(69)に連結されて、閉ループ感度を低下させ、また前記クラッチ連結信号を発生して前記クラッチアクチュエータ(27)へ送ることによって、前記変速機入力速度が前記エンジン速度に漸近するようにして摩擦クラッチ(20)を連結させる補償器(70)とを含んでいることを特徴とする自動クラッチ制御装置。
【請求項２】
前記ＰＩＤレギュレータ(65)が、前記差を入力として調整出力の成分を発生する積分器(86)を含んでいることを特徴とする請求項１の自動クラッチ制御装置。
【請求項３】
さらに、前記差を決定する手段は、エンジン速度信号と入力速度信号との差を決定する第２代数加算器(64)を含み、
ＰＩＤレギュレータ(65)には、前記第２代数加算器(64)に連結されて、エンジン速度信号と入力速度信号との差に応じて調整出力の積分項を発生する積分器(86)が設けられており、
さらに、エンジン速度信号に応じてリード信号を発生する微分補償器(73)と、
リード信号に応じて第２積分器信号を発生する第２積分器(74)と、
補償器(70)の出力、リード信号及び第２積分器信号を加算してクラッチ連結信号を発生する手段とを有していることを特徴とする請求項１の自動クラッチ制御装置。
【請求項４】
スロットル(11)によって制御されるエンジン(10)と、入力軸(25)を備えた変速機(30)と、変速機(30)によって駆動されるトラクションホィール(51、52、53、54)と、エンジン(10)との間に連結された摩擦クラッチ(20)と、トルク入力に対して振動応答を示すねじりコンプライアンスを有する変速機入力軸(25)と、スロットル位置、エンジン速度及び入力軸速度用のセンサ、及び摩擦クラッチ(20)に連結されて、クラッチ連結信号に従って摩擦クラッチ(20)の切り離し位置から完全連結位置への連結を制御するクラッチアクチュエータ(27)を有する自動クラッチ制御装置とを含む組み合わせ体において、
エンジン速度及び入力軸速度間の誤差値を決定し、
エンジン速度及び入力軸速度間の前記誤差値のみから比例・積分・微分（ＰＩＤ）値を発生し、
ＰＩＤ値をろ過し、
ろ過されたＰＩＤ値から入力軸速度を引いて誤差を発生し、
トラクションホィールのトルク入力に対する応答による変動に対して低い感度に維持することによって補償出力値を発生するように誤差を補償して、前記クラッチ連結信号を発生する、各ステップを有しており、
これによって前記変速機入力速度が前記エンジン速度に漸近するようにして摩擦クラッチ(20)を連結するようにしたことを特徴とするクラッチ連結信号の発生方法。
【請求項５】
ＰＩＤ値を発生するステップは、誤差値から積分項及び比例項を発生するステップを含んでいることを特徴とする請求項４に記載のクラッチ連結信号の発生方法。
【請求項６】
ＰＩＤ値を発生するステップは、誤差値から積分項及び比例項を発生し、
入力軸速度及びエンジン速度の少なくとも一方から微分項を発生し、
さらに、積分項、比例項及び微分項を合計する、各ステップを含んでいることを特徴とする請求項４に記載のクラッチ連結信号の発生方法。
【請求項７】
さらに、エンジン速度を微分してフィードフォワード信号を発生し、
フィードフォワード信号を積分し、
クラッチ連結信号を発生するために、フィードフォワード信号、積分フィードフォワード信号及び補償出力値を結合する、各ステップとを有することを特徴とする請求項４に記載のクラッチ連結信号の発生方法。
【発明の詳細な説明】
【０００１】
【産業上の利用分野】
本発明は、自動クラッチ制御装置、特に閉ループ自動クラッチ制御装置及び自動車の発進に対する振動応答を減少させる方法に関するものである。
【０００２】
【従来の技術】
近年、自動車の駆動系統の制御、特に大型トラックの駆動系統の制御の自動化を進めることに対する興味が増大してきている。乗用車及び軽トラックに自動変速機を用いることは公知である。そのような車両の一般的な自動変速機は、エンジン軸と駆動ホィールとの間の最終駆動比を選択するために流体トルクコンバータ及び油圧作動式歯車を用いている。この歯車選択は、エンジン速度、車両速度等に基づいて行われる。このような自動変速機は、エンジンから駆動軸への動力の伝達効率を低下させ、それに伴って手動変速機の熟練した操作に較べて燃料経済性及び動力が極端に低下することが知られている。車両の作動効率が低下することから、そのような油圧自動変速機は大型自動車トラックではあまり広範に使用されていない。
【０００３】
油圧自動変速機を用いた時に効率損失が生じる理由の１つは、流体トルクコンバータに生じる損失である。一般的な流体トルクコンバータは、すべてのモードで滑りを生じ、従ってトルク及び動力の損失が発生する。一定のエンジン速度以上では変速機の入力軸及び出力軸間を直結するロックアップトルクコンバータを提供することが公知である。この技術は、連結時に十分なトルク伝達効率を与えるが、低速では効率の利得がまったくない。
【０００４】
自動作動式摩擦クラッチに代えることによって、油圧トルクコンバータに伴う非効率をなくすことが提案されている。この代案では、油圧トルクコンバータを用いた時には見られなかった別の問題が生じる。自動車の機械式駆動系統は一般的に、変速機と車両のトラクションホィールとの間の駆動系統にかなりのねじりコンプライアンスを示す。
【０００５】
このねじりコンプライアンスは、変速機とディファレンシャルとの間の駆動軸、またはディファレンシャルと従動ホィールとの間の車軸に見られるであろう。独立的な設計基準によって、この駆動系統が相当なねじりコンプライアンスを示すことが促進されるか、避けられない場合が多い。大きなねじりコンプライアンスが自動車の駆動系統に存在することによって、クラッチ連結に対する振動応答が発生する。これらの振動応答は、車両の駆動系統の部品及び他の部品にさらなる大きな摩耗を生じる可能性がある。また、これらの振動応答によって、客室の不快な振動が発生する可能性がある。
【０００６】
クラッチ連結に対する駆動系統の振動応答は、主に変速機の入力速度、すなわちクラッチの速度がエンジン速度に接近する仕方によって決まる。これらの速度が滑らかに、例えば減衰指数関数によって接近する場合、クラッチロックアップにまったく過渡トルクが加わらない。これらの速度が急激に接近する場合、過渡トルクが駆動系統に伝達されるため、車両駆動系統に振動応答が発生する。
【０００７】
1991年10月７日に出願された「自動クラッチ用の閉ループ発進及び徐行制御」と題する米国特許出願番号第772,204 号が、滑らかな連結を行うようにクラッチ作動を制御することによってクラッチ連結中の駆動系統のコンプライアンスによるねじり振動を最小限に抑えるか、なくすことを開示している。ここに挙げる以下の特許出願は、制御にもっとロバスト性を与える改良である。
【０００８】
本発明者の「ロバストアルゴリズムを備えた自動クラッチ用の閉ループ発進及び徐行制御」と題する先行の米国特許出願で、現在の米国特許第5,275,267 号は、同じ問題に取り組んでおり、システム過渡応答を整形するために前置フィルタを設けて、個々の車両または車種に合わせて細かく特定化する必要性を軽減している。
【０００９】
1993年12月14日に出願された「ロバスト自動クラッチ制御のための方法及び装置」と題する米国特許出願番号第08/165,957号は同じシステムに基づいており、一定の状態で強引なクラッチ連結によってエンジン過負荷が加えられ、それによってエンジン速度が低下し、さらにはエンジンの停止を避けるためにクラッチダンピングを生じる可能性をなくすことによってロバスト性をさらに向上させている。
【００１０】
【発明が解決しようとする課題】
上記明細書に開示されているシステムには、滑り積分器が、実際には２つの積分器が直列に設けられているが、これには内部ループ変動に対して過敏になる可能性があり、状況によっては制御が困難になる。
【００１１】
このため、内部ループの変動に対する感度を低下させ、制御を向上させる摩擦クラッチの自動クラッチ作動を提供することが好都合であろう。本発明の目的は、部分的にはその従来作動に基づき、さらにロバスト性を向上させた自動クラッチ制御装置及びクラッチ連結信号の発生方法を提供することである。
【００１２】
【発明の開示】
上記目的を達成するために、本発明は、動力源と、摩擦クラッチと、トルク入力に対して振動応答を示すねじりコンプライアンスを有する摩擦クラッチに連結された少なくとも１つの慣性負荷トラクションホィールとを含む組み合わせ体において使用される自動クラッチ制御装置を提供する。
【００１３】
この自動クラッチ制御装置は、変速機シフトコントローラと共に使用されるのが好ましい。この自動クラッチ制御装置は、車両の発進時、及びそれに続く変速機シフト中のクラッチ連結を滑らかにして、クラッチ連結に対する振動応答を最小限に抑えることができる。この自動クラッチ制御装置は大型トラックで有益である。
【００１４】
自動クラッチ制御装置は、エンジン速度センサ及び変速機入力速度センサから入力を受け取る。変速機入力速度センサは、変速機の入力部での回転速度を感知し、その入力部は摩擦クラッチの出力部である。自動クラッチ制御装置は、クラッチアクチュエータを完全切り離し位置と完全連結位置との間で制御するクラッチ連結信号を発生する。このクラッチ連結信号は、変速機入力速度が基準速度に漸近するようにして摩擦クラッチを連結させる。これによって、慣性負荷トラクションホィールのトルク入力に対する振動応答を最小限に抑えることができる。
【００１５】
車両の通常始動に対応する発進モードまたは変速機のシフト後では、クラッチ連結信号が変速機入力速度をエンジン速度に漸近させる。
【００１６】
自動クラッチ制御装置は、初期部分的連結後の所定時間以内に完全なクラッチ連結が確実に得られるようにするためにＰＩＤレギュレータを設けている。変速機入力速度基準信号と変速機入力速度との間にいかなる速度差があっても、最終的にはクラッチを完全連結させる。レギュレータは、エンジン速度と変速機入力速度との差に基づいて比例及び積分制御を行う一方、微分項もその差から、または入力速度だけから算出される。ＰＩＤレギュレータは、内部ループ変動に対してあまり敏感ではなく、ある変速機を様々な形式の大型トラックに用いながら、良好な制御特性を保持することができるようにするロバスト制御特性を与える。
【００１７】
クラッチ作動コントローラは、個々の車両または車種に対して詳細に特定化する必要性を軽減する構造を有している。ＰＩＤレギュレータ出力は、システムの過渡応答を整形することができる前置フィルタで演算される。代数加算器が、変速機入力速度信号を前置フィルタ処理信号から引くことによって制御誤差を発生する。この誤差信号は、周波数の関数として十分な利得を有する周波数補償器へ送られて、車両パラメータの変動に対するシステム閉ループ感度を低下させることができ、それによって制御にロバスト性を追加することができる。補償器は、クラッチ連結に対する振動応答を最小限に抑えることができるようにクラッチ連結を制御するためのクラッチ連結信号を発生する。
【００１８】
自動クラッチ制御装置は、デジタルマイクロコントローラによって実行される離散形差分方程式で実現されるのが好ましい。マイクロコントローラには、低周波数での利得を増加させることによってシステム誤差を減少させ、慣性負荷トラクションホィールの伝達関数のほぼ逆の伝達関数を有している補償器が設けられている。この補償器の伝達関数には、駆動系統の予想振動応答の領域を包含するノッチフィルタが含まれる。車両積載量及び駆動系統特徴の変化に伴って振動応答周波数が変化するため、このノッチフィルタの周波数帯域は一定範囲の周波数を包含できるように十分に広くなければならない。補償器ではまた、ループ利得を増加させて車両特性のばらつきに対する感度を低下させるため、駆動系統応答が最小である周波数範囲での応答を高めることが好ましい。
【００１９】
クラッチ作動コントローラは、変速機の各歯車比に対応した離散形差分方程式用の係数組を記憶していることが好ましい。クラッチ作動コントローラは、選択された歯車比に対応した係数組を検索する。これらの検索された係数組は、クラッチ制御用の他の点では同一の離散形差分方程式に用いられる。
【００２０】
本発明の上記及び他の目的及び特徴を、添付の図面を参照しながら以下に詳細に説明する。
【００２１】
【実施例】
図１は、本発明の自動クラッチ制御装置を含む自動車の駆動系統の概略図である。自動車には、動力源としてエンジン10が設けられている。本発明を用いるのに最も適した形式の大型トラックの場合、エンジン10をディーゼル内燃機関にすることができる。
【００２２】
一般的に足作動式ペダルであるスロットル11が、スロットルフィルタ12を介してエンジン10の作動を制御する。スロットルフィルタ12は、スロットル11による段階的スロットル増加を受け取った時にスロットルレベルまで傾斜したスロットル信号を送ることによって、エンジン10へ送られるスロットル信号をろ過する。エンジン10は、エンジン軸15にトルクを発生する。エンジン速度センサ13が、エンジン軸15の回転速度を検出する。エンジン速度センサ13による実際の回転速度検出場所は、エンジンのフライホィールにすることができる。エンジン速度センサ13は、磁気センサによって歯の回転が検出される多数歯付きホィールであることが好ましい。
【００２３】
摩擦クラッチ20には、完全または部分連結することができる固定プレート21及び可動プレート23が設けられている。固定プレート21は、エンジンのフライホィールにすることができる。摩擦クラッチ20は、固定プレート21及び可動プレート23間の連結度に応じて、トルクをエンジン軸15から入力軸25へ伝達する。図１には一対の固定及び可動プレートが図示されているだけであるが、クラッチ20には多数対のそのようなプレートを設けることができることは当業者には理解されるであろう。
【００２４】
一般的なトルク対クラッチ位置の関数が図２に示されている。クラッチトルク／位置曲線80は、最初に初期接触点81より前の連結範囲でゼロである。クラッチ連結の増加に伴って、クラッチトルクが単調に上昇する。図２に示されている実施例では、クラッチトルクは最初はゆっくり上昇するが、その後は急激に上昇して、点82での完全連結時に最大クラッチトルクに達する。一般的なクラッチ構造では、完全連結時の最大クラッチトルクが最大エンジントルクの約1.5 倍であることが求められる。これによって、クラッチ20はエンジン10によって発生した最大トルクを滑りを伴わないで伝達することができる。
【００２５】
クラッチ20を切り離し状態から部分連結を介して完全連結まで制御するため、クラッチアクチュエータ27が可動プレート23に連結されている。クラッチアクチュエータ27は、電気式、油圧式または空気圧式アクチュエータにすることができ、また位置または圧力制御形にすることができる。クラッチアクチュエータ27は、クラッチ作動コントローラ（コントローラ）60からのクラッチ連結信号に従ってクラッチ連結度を制御する。
【００２６】
変速機入力速度センサ31が、入力軸25の回転速度を感知し、それが変速機30への入力となる。変速機30は、変速機シフトコントローラ33の制御を受けながら駆動軸35に選択可能な駆動比を与える。駆動軸35はディファレンシャル40に連結されている。変速機出力速度センサ37が駆動軸35の回転速度を感知する。変速機入力速度センサ31及び変速機出力速度センサ37は、エンジン速度センサ13と同じ構造であることが好ましく、速度と共に向きを知らせる。自動車が大型トラックである本発明の好適な実施例では、ディファレンシャル40は、それぞれのホィール51〜54に連結されている４本の車軸41〜44を駆動する。
【００２７】
変速機シフトコントローラ33は、スロットル11、エンジン速度センサ13、変速機入力速度センサ31及び変速機出力速度センサ37から入力信号を受け取る。変速機シフトコントローラ33は、変速機30の制御を行う歯車選択信号と、クラッチ作動コントローラ60へ送られるクラッチ連結／切り離し信号とを発生する。好ましくは、変速機シフトコントローラ33は、変速機30によって与えられた最終歯車比をスロットル設定、エンジン速度、変速機入力速度及び変速機出力速度に応じて変化させる。
【００２８】
変速機シフトコントローラ33は、摩擦クラッチ20を連結すべきか切り離すべきかに応じて、それぞれ連結及び切り離し信号をクラッチ作動コントローラ60へ送る。変速機シフトコントローラはまた、歯車信号をクラッチ作動コントローラ60へ送る。この歯車信号によって、選択歯車に応じた係数組を検索することができる。変速機シフトコントローラ33は本発明の一部を構成していないので、これ以上の説明は行わない。
【００２９】
クラッチ作動コントローラ60は、可動プレート23の位置を制御するためにクラッチ連結信号をクラッチアクチュエータ27へ送る。これは、クラッチ20によって伝達されるトルク量を図２のクラッチトルク／位置曲線80に従って制御する。クラッチ作動コントローラ60は、変速機シフトコントローラ33の制御下で作動する。クラッチ作動コントローラ60は、変速機シフトコントローラ33から連結信号を受け取った時、切り離し位置から少なくとも部分的連結または完全連結位置への可動プレート23の移動を制御する。
【００３０】
好適な実施例では、クラッチ連結信号が所望クラッチ位置を表示するものとする。クラッチアクチュエータ27は、好ましくはこの所望位置への可動プレート23の移動を制御する閉ループ制御システムを含んでいる。また、クラッチ連結信号が所望のクラッチ圧力を表して、クラッチアクチュエータ27がこの所望圧力に閉ループ制御を加えることも実現可能である。車両によっては、クラッチアクチュエータ27を開ループ方式で作動させることも実現可能である。クラッチアクチュエータ27の正確な詳細は本発明にとって決定的なものではないため、これ以上は説明しない。
【００３１】
クラッチ作動コントローラ60は、変速機シフトコントローラ33から切り離し信号を受け取った時、クラッチ20のランプアウト切り離しを行うための所定の開ループクラッチ切り離し信号を発生するのが好ましい。クラッチ20のこの所定の開ループ切り離しに対しては、不都合な振動応答が予想されない。
【００３２】
図３は、発進の場合の、すなわち適当な速度で走行するために停止状態から始動する場合のエンジン速度90及び変速機入力軸速度100 を示している。最初はエンジン速度90がアイドル速度である。
【００３３】
その後、エンジン速度90は図３の時間枠内で単調に上昇する。エンジン速度90は、上昇するか、同一速度に維持される。理想的には、エンジン速度90は、エンジン10から発生したトルクが車両を加速するために必要なトルクに一致するまで、上昇する。高負荷では、このエンジン速度がアイドル速度と最高エンジン速度との間の中間範囲内にあるかもしれない。この一定のエンジン速度は、クラッチトルク及び駆動系統トルクを一致させて、エンジン出力トルクと車両負荷トルクとを釣り合わせるために必要なエンジントルクに対応している。
【００３４】
このトルクレベルが理想クラッチトルクであり、これより高いクラッチトルクではエンジン10が停止し、低いクラッチトルクではエンジン速度が上昇しすぎる。最終的に、車両は、クラッチ20を完全連結できる速度まで加速する。その後、エンジントルクと負荷トルクとの釣り合いは、スロットルの設定による運転者の制御下におかれ、クラッチ作動コントローラ60が完全クラッチ連結を命令し続ける。
【００３５】
車両が停止し、クラッチ20が完全に切り離された時、変速機入力速度100 は最初にゼロである。これは、車両を始動する場合である。しかし、以下にさらに説明するように、この同じ技術を用いて、移動中の歯車のシフト時のクラッチ連結を円滑にすることもできる。この場合、変速機入力速度は最初に車両速度に対応した値にすることができる。クラッチ20が部分的に連結した時、変速機入力速度100 が上昇して、漸近的にエンジン速度90に接近する。
【００３６】
点101 では、変速機入力速度100 は、車両の駆動系統のねじりコンプライアンスを引き起こすことなくクラッチ20を完全連結することができる程度までエンジン速度90に十分に接近している。この時点で、クラッチ20が完全に連結する。その後、次に高い最終歯車比が変速機コントローラ33によって選択された時にクラッチ20が切り離されるまで、変速機入力速度100 はエンジン速度90と共に進む。本装置は、車両が停止しておらず、初期変速機入力速度がゼロでない場合にも作動することが好ましい。
【００３７】
図４は、クラッチ作動コントローラ60の制御機能を概略的に示している。また図１に示されているように、クラッチ作動コントローラ60はスロットル11からスロットル信号を、エンジン速度センサ13からエンジン速度信号を、変速機入力速度センサ31から変速機入力速度信号を受け取る。
【００３８】
図４に示されているクラッチ作動コントローラ60は、摩擦クラッチ20を作動させるためにクラッチアクチュエータ27へ送られるクラッチ連結信号を発生する。図４には示されていないが、クラッチ作動の度合いとスロットル設定、エンジン速度及び車両特性とによって、変速機入力速度センサ31で感知されてクラッチ作動コントローラ60へ送られる変速機入力速度が決定される。従って、図４に概略的に示されている制御は、閉ループシステムである。
【００３９】
図４に示されている制御機能は、図２に示す接触点81と完全連結82との間のクラッチ位置に対してだけ必要である。接触点81に対応するものより小さいクラッチ連結では、クラッチ20が完全に切り離されているため、トルク伝達の可能性がない。クラッチ作動コントローラ60は、接触点81に対応したクラッチ位置を検出する何らかの方法を設けていることが好ましい。この決定技術は公知である。
【００４０】
例えば、変速機30をニュートラルに入れ、変速機入力速度センサ31が初めて回転を検出するまで、クラッチ20を連結側へ進ませることによって、接触点81のクラッチ位置を決定することができる。変速機シフトコントローラ33から連結信号を受け取ると、クラッチ作動コントローラ60は好ましくは迅速にクラッチ20を接触点81に対応した点へ前進させる。これは、接触点81にクラッチ連結制御のゼロ点を設定する。その後のクラッチ連結は、図４に示されている制御機能によって制御される。
【００４１】
クラッチ作動コントローラ60は、マイクロコントローラ回路によって実現することが好ましい。エンジン速度、変速機入力速度及びスロットル設定に対応した入力はデジタル形式でなければならない。これらの入力信号は、好ましくはマイクロコントローラの作動速度と同じで、所望の制御を行うことができる十分な速度でサンプリングされる。
【００４２】
前述したように、エンジン速度、変速機入力速度及び変速機出力速度は、好ましくは歯の回転を磁気センサで検出する多数歯付きホィールによって検出される。所定期間中に磁気センサによって検出されたパルス列を計数する。それぞれのカウント値は測定速度に正比例している。適正に制御するため、車両が後退する場合には変速機入力速度信号の符号がマイナスでなければならない。入力軸25の回転方向を検出する何らかの方法が必要である。そのような方向の感知は公知であり、これ以上は詳細に説明しない。
【００４３】
スロットル設定は、電位差計等のアナログセンサによって検出されるのが好ましい。このアナログスロットル信号は、マイクロコントローラで使用できるように、アナログ／デジタル変換器によってデジタル化される。マイクロコントローラは、図４に示されているプロセスを公知のようにして離散形差分方程式によって実行する。
【００４４】
従って、図４に示されている制御プロセスは、独立したハードウェアではなく、本発明を具現するマイクロプロセッサのプログラムの仕方を示していると見なされる。十分な能力を持ち、適正にプログラムされた場合、同じマイクロコントローラがクラッチ作動コントローラ60及び変速機シフトコントローラ33の両方の機能を果たすことができる。インテル社の80C196型のマイクロコントローラがこのように機能できる十分な計算能力を備えていると考えられる。
【００４５】
エンジン速度は制御の基準信号である。すなわち、エンジン速度が所望の変速機入力速度である。クラッチ作動コントローラ60は、図５にわかりやすく示されているようなＰＩＤ（比例・積分・微分）レギュレータ65を備えている。変速機入力速度センサ31からの変速機入力速度を代数加算器64でエンジン速度から引くことによって、誤差信号を発生する。
【００４６】
ＰＩＤレギュレータ65は、加算器64の出力部に連結されて利得を設定する増幅器84を設けており、積分器86が増幅誤差信号を積分し、その信号は代数加算器67へ送られる。誤差信号は増幅器88によっても増幅されて、比例項が加算器67へ送られる。加算器67へ送られる微分項は、増幅器94と変速機入力速度信号を演算する微分器96とによって発生する。比例、積分及び微分信号は加算器で加算される。そのようなレギュレータは制御方法論では公知であり、様々な形式にすることができる。例えば、比例項及び積分項と同様に、微分項を誤差信号から引き出してもよい。
【００４７】
代数加算器67は入力を前置フィルタ68へ送る。前置フィルタ68からの出力信号は代数加算器69へ送られる。代数加算器69はまた、変速機入力速度センサ31から測定された変速機入力速度信号も受け取る。代数加算機69は、前置フィルタ68からの前置フィルタ処理信号と変速機入力速度との差を計算する。この差は補償器70へ送られる。補償器70には、トルク入力に対する車両のねじり振動応答のほぼ逆のモデルが設けられている。補償器70は、車両の駆動系統の伝達関数の変動によるクラッチ作動コントローラ60の閉ループ応答の変動を減少できるように選択された利得対周波数の関数を含み、特に低周波数で利得を増加させることによって、システムのロバスト性を向上させている。
【００４８】
補償器70の伝達関数の決定について以下に詳細に説明する。補償器が内部ループの不確実性の小さい予測を可能にするため、ＰＩＤレギュレータ65が入力速度をエンジン速度に漸近的に接近させて、システムが制御可能になる。前置フィルタが補償器と協働して、ＰＩＤレギュレータによる制御を行うための十分に減衰した２次伝達関数を発生する。前置フィルタ68の特性及びそれの決定方法について以下に詳細に説明する。本説明では前置フィルタ及び補償器が別々に扱われているが、それらは直列の構成要素であるので、それらを同一ユニットに組み込むことができる、すなわち両関数を１つの伝達関数または対応の離散形差分方程式または方程式組として表現することができる。
【００４９】
エンジン速度微分信号によってクラッチ連結信号内にフィードフォワード信号が発生する。微分補償器または加速度補償器73が、エンジン速度の変化率に応じた微分信号を発生するが、小さいエンジン減速による急激な減少を防止するためにろ過される。このエンジン速度微分信号及び積分器74から発生したその積分が代数加算器71へ送られる。代数加算器71は、補償器70の出力と、加速度補償器73からのエンジン速度微分信号と、積分器74からの積分信号とを合計して、クラッチ連結信号を発生する。クラッチアクチュエータ27はこのクラッチ連結信号を用いて、クラッチ連結の度合いを制御する。
【００５０】
フィードフォワード信号は、エンジン速度が加速中である時のクラッチ作動コントローラ60の応答を向上させることができる。エンジン速度加速状態では、フィードフォワード信号によって、エンジン加速度の割合に比例した迅速なクラッチ20連結が行われる。駆動系統トルクが安定する前は、スロットル全開状態でエンジン速度が急激に上昇する可能性がある。これは、このフィードフォワード応答を伴わないクラッチ作動コントローラ60の応答速度が、ピークエンジンの応答速度に較べて低いからである。
【００５１】
このフィードフォワード応答を備えていれば、急激なエンジン加速によってそうでない場合よりも迅速なクラッチ連結が得られる。さらなるクラッチ連結は、エンジンからのトルクをさらに必要とすることによって、エンジン速度の上昇を抑制しようとする。エンジン速度が一定値に達すると、微分項がゼロまで減少し、積分器74が、エンジン速度を抑制するために必要なクラッチ連結を保持する。次に、制御機能の他の部分が、変速機入力速度を基準速度に漸近的に収束させるように機能する。
【００５２】
前置フィルタ68及び補償器70が、クラッチ作動コントローラ60内の微分及び相補機能を実行する。前置フィルタ68及び補償器70の伝達関数は以下のようにして決定される。補償器70の伝達関数は、駆動系統パラメータ変動に対する閉ループ伝達関数の感度を低下させるように選択される。これは、周波数の関数として十分なループ利得を与えることによって達成される。駆動系統の伝達関数Ｇ（ω）に対する閉ループ伝達関数Ｈ（ω）の感度
【００５３】
【式１】
0003639983.tif 000002
は、
【００５４】
【式２】
0003639983.tif 000003
で表される。但し、Ｃ（ω）は補償器70の伝達関数である。この関係を調べれば、補償器利得を増大させることによって感度
【００５５】
【式３】
0003639983.tif 000004
をゼロまでの任意の値に減少させることができることがわかる。安定性及び雑音の問題のため、最大補償器利得には実際的な制限がある。このため、補償器70の伝達関数Ｃ（ω）は、閉ループ伝達関数の変動を設計基準として受け入れ可能なレベルセットに制限できるように、すべての周波数ωで十分に高く選択される。低周波数での利得を強調することによって、ロバスト性をさらに向上させることができる。
【００５６】
補償器70は、ねじり振動応答のほぼ逆のモデルを含む。本発明を適用できる一般的な重量形トラックでは、駆動系統のねじりコンプライアンスのため、駆動系統の伝達関数は２〜５Ｈｚの範囲の一対の軽減衰極を備えている。正確な値は、車両パラメータ値によって決まる。補償器70の逆応答によって、これらの極の領域にノッチフィルタが形成される。ノッチの周波数帯は、予想車両周波数応答の範囲を包含できる十分な広さである。一般的な重量形トラックはまた、１〜２Ｈｚの周波数範囲に一対の複素ゼロを含む。これらの複素ゼロは、システムループ利得を減少させる傾向があり、従ってシステムがこの周波数範囲内の車両特徴の変動にさらに敏感になる。補償器70は、この周波数範囲内に一対の単純ゼロを設けることによって、ループ利得を増加させ、車両特徴の変動に対する感度を低下させることができるようにするのが好ましい。これによって、閉ループシステムの全応答の固有値が大きく減衰されて、振動の少ないシステムを提供する。
【００５７】
前置フィルタ68を用いることによって、所望の閉ループ過渡応答を確実に達成できる。前置フィルタ68を伴わない閉ループシステムの伝達関数Ｈ（ω）は次の通りである。
【００５８】
Ｈ（ω）＝Ｃ（ω）Ｇ（ω）／（１＋Ｃ（ω）Ｇ（ω））
但しＣ（ω）は補償器70の伝達関数であり、Ｇ（ω）は駆動系統の伝達関数である。補償器70の上記構造は、駆動系統応答Ｇ（ω）の変動に対する感度の低下だけを考慮に入れている。これでは一般的に、閉ループ応答Ｈ（ω）の時間応答が不適当になる。前置フィルタ及び補償器の設計目標は、予測可能な応答特性を作り出すことによって、ＰＩＤコントローラがクラッチ20の作動で変速機入力速度をエンジン速度に漸近的に収束させることができるようにすることである。前置フィルタ68を伴った伝達関数Ｈ（ω）は次の通りである。
【００５９】
Ｈ（ω）＝Ｆ（ω）Ｃ（ω）Ｇ（ω）／（１＋Ｃ（ω）Ｇ（ω））
但し、Ｆ（ω）は前置フィルタ68の伝達関数である。前置フィルタ68は、ＰＩＤコントローラの設計率に対応した通過帯域を備えた低域フィルタである。
【００６０】
前置フィルタ68及び補償器70の応答特性の上記の決定は、ホロビッツ(Horowitz)の定量的フィードバック理論に一致している。この理論は、1982年11月のＩＥＥ会報第129 巻、PT.d第６号に記載されているＩ．Ｍ．ホロビッツの「定量的フィードバック理論」で実証されている。前置フィルタ68及び補償器70の応答をこのように選択することによって、ロバスト性がある、すなわち広範囲で変化する車両状態に適切に応答することができるシステムが得られる。
【００６１】
上記のように、図４の要素はマイクロコントローラ内の離散形差分方程式によって実行されることが好ましい。そのような方程式は上記特許出願に明記されている。しかし、補償器及び前置フィルタの特徴は、以下の方程式から十分に理解され、当業者であれば離散形差分方程式を容易に引き出すことができる。補償器の伝達関数は：
【００６２】
【式４】
0003639983.tif 000005
である。
【００６３】
同様に、前置フィルタの伝達関数は：
【００６４】
【式５】
0003639983.tif 000006
である。
【００６５】
本発明は、変速機のシフトに後続するクラッチの再連結に用いても好都合である。この場合、前置フィルタ68及び補償器70のための上記伝達関数を含めて、図４に示されているものと同じ制御プロセスを用いることができる。差分方程式として表された時、変速機シフトの制御プロセスは、方程式の用いられる係数の選択の点で発進モードとは異なっている。変速機シフトコントローラ33からの歯車信号に応じて、特定組のこれらの係数が係数メモリ75から検索される。選択された係数組には、積分器74の積分係数、及び微分器73の係数も含むことができる。他の点では、本発明は上記の通りに作動する。
【００６６】
本発明の好適な実施例は制限的なものではなく、発明の排他的特徴は請求項によって定義される。
【００６７】
【発明の効果】
本発明の自動クラッチ制御装置は、クラッチアクチュエータを完全切り離し位置と完全連結位置との間で制御するクラッチ連結信号を発生し、このクラッチ連結信号は、クラッチ連結に対する振動応答のほぼ逆のモデルを用いて測定された変速機入力速度をエンジン速度に漸近的に接近させるようにして、摩擦クラッチを部分的に連結させ、これによって、慣性負荷トラクションホィールのトルク入力に対する振動応答を最小限に抑えることができる。
【００６８】
本発明の制御プロセスは、車両応答の変動に対してロバスト性があり、１つの車両における積載量の変化や、車両間でのエンジン、クラッチ及び駆動系統振動応答の様々な組み合わせ間での応答のばらつきに対処してクラッチ連結を適応調整することができる。また、このシステムのロバスト性によって、トラックの種類または積み荷範囲に合わせて個別に調整することなく広範囲の重量形トラックに適用できる変速機の大量生産が可能になる。
【図面の簡単な説明】
【図１】本発明のクラッチ作動コントローラを含む車両駆動系統の概略図である。
【図２】クラッチ連結とクラッチトルクとの間の一般的な関係を示している。
【図３】自動車の発進のための経時的なエンジン速度及び変速機入力速度の理想応答を示している。
【図４】本発明による自動クラッチ制御装置の機能のブロック図である。
【図５】図４のコントローラに使用されるＰＩＤレギュレータの概略図である。
【符号の説明】
10  エンジン
11  スロットル
13  エンジン速度センサ
20  摩擦クラッチ
25  変速機入力軸
27  クラッチアクチュエータ
31  変速機入力速度センサ
60  クラッチ作動コントローラ
65  ＰＩＤレギュレータ
68  前置フィルタ
69  第１代数加算器
70  補償器
【図１】
0003639983.tif 000007
【図２】
0003639983.tif 000008
【図３】
0003639983.tif 000009
【図４】
0003639983.tif 000010
【図５】
0003639983.tif 000011